(57)【要約】【課題】携帯端末の連続使用時間を短くすることなくバッテリの性能低下を抑制し得る構成を提供する。【解決手段】非充電時間Ｔ１の計時が開始された後に電力供給状態検知部３４により電力供給可能状態が検知された場合、当該検知までに計時された非充電時間Ｔ１が所定時間Ｔ１ｔｈ以上またはバッテリ電圧検出部３３により検出されたバッテリ電圧Ｖｂが最低動作電圧値Ｖｏ未満のいずれかであると、満充電電圧値Ｖｍが第１満充電電圧値Ｖｍ１に設定され、当該検知までに計時された非充電時間Ｔ１が上記所定時間Ｔ１未満かつバッテリ電圧検出部３３により検出されたバッテリ電圧Ｖｂが上記最低動作電圧値Ｖｏ以上であると、満充電電圧値Ｖｍが第２満充電電圧値Ｖｍ２に設定される。【選択図】図４
2020068607.tif 000002
【特許請求の範囲】
【請求項１】
電力供給源となるバッテリを有する携帯端末であって、
外部からの電力供給に応じて前記バッテリのバッテリ電圧が満充電電圧値となるように当該バッテリを充電する充電回路と、
前記バッテリ電圧を検出するバッテリ電圧検出部と、
前記外部から電力供給が可能に当該外部に対して電気的に接続された電力供給可能状態と前記外部からの電力供給が停止された電力供給停止状態とを検知可能な電力供給状態検知部と、
前記電力供給状態検知部により前記電力供給可能状態から前記電力供給停止状態への変化が検知されてからの経過時間を非充電時間として計時する非充電時間計時部と、
前記満充電電圧値を、第１の電圧値と前記第１の電圧値よりも小さな第２の電圧値とのいずれかに設定可能な設定部と、
を備え、
前記設定部は、前記非充電時間計時部により前記非充電時間の計時が開始された後に前記電力供給状態検知部により前記電力供給可能状態が検知された場合、当該検知までに前記非充電時間計時部により計時された前記非充電時間が所定時間以上であると、前記満充電電圧値を前記第１の電圧値に設定し、当該検知までに前記非充電時間計時部により計時された前記非充電時間が前記所定時間未満であると、前記満充電電圧値を前記第２の電圧値に設定することを特徴とする携帯端末。
【請求項２】
電力供給源となるバッテリを有する携帯端末であって、
外部からの電力供給に応じて前記バッテリのバッテリ電圧が満充電電圧値となるように当該バッテリを充電する充電回路と、
前記バッテリ電圧を検出するバッテリ電圧検出部と、
前記外部から電力供給が可能に当該外部に対して電気的に接続された電力供給可能状態と前記外部からの電力供給が停止された電力供給停止状態とを検知可能な電力供給状態検知部と、
前記満充電電圧値を、第１の電圧値と前記第１の電圧値よりも小さな第２の電圧値とのいずれかに設定可能な設定部と、
を備え、
前記設定部は、前記電力供給状態検知部により前記電力供給可能状態が検知された場合に、前記バッテリ電圧検出部により検出された前記バッテリ電圧が所定の電圧値未満であると、前記満充電電圧値を前記第１の電圧値に設定し、前記バッテリ電圧検出部により検出された前記バッテリ電圧が前記所定の電圧値以上であると、前記満充電電圧値を前記第２の電圧値に設定することを特徴とする携帯端末。
【請求項３】
電力供給源となるバッテリを有する携帯端末であって、
外部からの電力供給に応じて前記バッテリのバッテリ電圧が満充電電圧値となるように当該バッテリを充電する充電回路と、
前記バッテリ電圧を検出するバッテリ電圧検出部と、
前記外部から電力供給が可能に当該外部に対して電気的に接続された電力供給可能状態と前記外部からの電力供給が停止された電力供給停止状態とを検知可能な電力供給状態検知部と、
前記電力供給状態検知部により前記電力供給可能状態から前記電力供給停止状態への変化が検知されてからの経過時間を非充電時間として計時する非充電時間計時部と、
前記満充電電圧値を、第１の電圧値と前記第１の電圧値よりも小さな第２の電圧値とのいずれかに設定可能な設定部と、
を備え、
前記設定部は、前記非充電時間計時部により前記非充電時間の計時が開始された後に前記電力供給状態検知部により前記電力供給可能状態が検知された場合、当該検知までに前記非充電時間計時部により計時された前記非充電時間が所定時間以上または前記バッテリ電圧検出部により検出された前記バッテリ電圧が所定の電圧値未満のいずれかであると、前記満充電電圧値を前記第１の電圧値に設定し、当該検知までに前記非充電時間計時部により計時された前記非充電時間が前記所定時間未満かつ前記バッテリ電圧検出部により検出された前記バッテリ電圧が前記所定の電圧値以上であると、前記満充電電圧値を前記第２の電圧値に設定することを特徴とする携帯端末。
【請求項４】
前記バッテリの温度を計測する温度計測部を備え、
前記設定部は、前記非充電時間計時部により前記非充電時間の計時が開始された後に前記電力供給状態検知部により前記電力供給可能状態が検知された場合、当該検知までに前記非充電時間計時部により計時された前記非充電時間が前記所定時間以上または前記バッテリ電圧検出部により検出された前記バッテリ電圧が前記所定の電圧値未満のいずれかであっても、前記温度計測部により計測される前記バッテリの温度が所定温度以上になると、前記満充電電圧値を前記第２の電圧値に設定することを特徴とする請求項３に記載の携帯端末。
【請求項５】
所定の処理を行う処理部と、
前記電力供給状態検知部により前記電力供給停止状態から前記電力供給可能状態への変化が検知されてからの経過時間を接続時間として計時する接続時間計時部と、
前記接続時間計時部により計時される前記接続時間が第２の所定時間以上であるか否かについて判定する判定部と、
を備え、
前記設定部は、前記判定部により前記接続時間が前記第２の所定時間未満であると判定される状態では前記満充電電圧値を前記第１の電圧値に設定し、前記判定部により前記接続時間が前記第２の所定時間以上であると判定される状態では前記満充電電圧値を前記第２の電圧値に設定し、
前記充電回路は、前記設定部により前記満充電電圧値が前記第２の電圧値に設定されると、前記バッテリ電圧検出部により検出される前記バッテリ電圧が前記第２の電圧値以上では前記バッテリへの充電を停止し、
前記処理部は、前記設定部により前記満充電電圧値が前記第１の電圧値に設定されるか前記バッテリ電圧検出部により検出される前記バッテリ電圧が前記第２の電圧値未満であると、前記外部から電力供給を受けて前記所定の処理を行い、前記設定部により前記満充電電圧値が前記第２の電圧値に設定され、かつ、前記バッテリ電圧検出部により検出される前記バッテリ電圧が前記第２の電圧値以上であると、前記バッテリから電力供給を受けて前記所定の処理を行うことを特徴とする請求項１〜４のいずれか一項に記載の携帯端末。
【請求項６】
電力供給源となるバッテリを有する携帯端末であって、
所定の処理を行う処理部と、
外部からの電力供給に応じて前記バッテリのバッテリ電圧が満充電電圧値となるように当該バッテリを充電する充電回路と、
前記バッテリ電圧を検出するバッテリ電圧検出部と、
前記外部から電力供給が可能に当該外部に対して電気的に接続された電力供給可能状態と前記外部からの電力供給が停止された電力供給停止状態とを検知可能な電力供給状態検知部と、
前記電力供給状態検知部により前記電力供給停止状態から前記電力供給可能状態への変化が検知されてからの経過時間を接続時間として計時する接続時間計時部と、
前記接続時間計時部により計時される前記接続時間が所定時間以上であるか否かについて判定する判定部と、
前記満充電電圧値を、第１の電圧値と前記第１の電圧値よりも小さな第２の電圧値とのいずれかに設定可能な設定部と、
を備え、
前記設定部は、前記判定部により前記接続時間が前記所定時間未満であると判定される状態では前記満充電電圧値を前記第１の電圧値に設定し、前記判定部により前記接続時間が前記所定時間以上であると判定される状態では前記満充電電圧値を前記第２の電圧値に設定し、
前記充電回路は、前記設定部により前記満充電電圧値が前記第２の電圧値に設定されると、前記バッテリ電圧検出部により検出される前記バッテリ電圧が前記第２の電圧値以上では前記バッテリへの充電を停止し、
前記処理部は、前記設定部により前記満充電電圧値が前記第１の電圧値に設定されるか前記バッテリ電圧検出部により検出される前記バッテリ電圧が前記第２の電圧値未満であると、前記外部から電力供給を受けて前記所定の処理を行い、前記設定部により前記満充電電圧値が前記第２の電圧値に設定され、かつ、前記バッテリ電圧検出部により検出される前記バッテリ電圧が前記第２の電圧値以上であると、前記バッテリから電力供給を受けて前記所定の処理を行うことを特徴とする携帯端末。
【請求項７】
前記バッテリを放電可能な放電回路を備え、
前記放電回路は、前記設定部により前記満充電電圧値が前記第２の電圧値に設定され、かつ、前記バッテリ電圧検出部により検出される前記バッテリ電圧が前記第２の電圧値以上であると、前記バッテリを放電することを特徴とする請求項５又は６に記載の携帯端末。
【発明の詳細な説明】
【技術分野】
【０００１】
本発明は、電力供給源となるバッテリを有する携帯端末に関するものである。
【背景技術】
【０００２】
従来、携帯端末等の電力供給源となるバッテリは、充電装置等の外部からの電力供給に応じた充電が必要となる一方で、高頻度の充電等のために性能が劣化してしまう場合がある。このようなバッテリの性能劣化を抑制するための技術として、例えば、下記特許文献１に開示される携帯機器が知られている。この携帯機器では、充電開始時に計測されたバッテリの温度が３５℃未満（常温）であれば高圧電領域の充電電圧として４．２Ｖが選択され、バッテリの温度が３５℃以上（高温領域）であれば充電電圧として高圧電領域ではあるが４．２Ｖよりも低い４．１Ｖが選択される。そして、充電中に高温領域かつ高圧電領域となる状態が所定時間継続すると、充電電圧を３．９５Ｖに下げることで、高温領域且つ高電圧領域が継続するために電池寿命が著しく劣化することを防止している。
【先行技術文献】
【特許文献】
【０００３】
【特許文献１】特開２００８−０６７４２０号公報
【発明の概要】
【発明が解決しようとする課題】
【０００４】
ところで、非充電状態の携帯端末で所定の処理を行った後に充電台等で充電する際、携帯端末の充電回路は、充電台等からの電力供給に応じてバッテリ電圧が満充電電圧となるようにバッテリを充電する。その際、非充電時の携帯端末の連続使用時間の増加等のためには満充電電圧を高く設定する必要があるが、その高く設定された満充電電圧のためにバッテリの寿命が短くなりやすくバッテリの膨張も生じやすくなる結果、バッテリの性能が低下しやすくなるという問題がある。また、単に、満充電電圧を低く設定するだけでは、非充電時の連続使用時間が短くなってしまうという問題がある。
【０００５】
本発明は、上述した課題を解決するためになされたものであり、その目的とするところは、携帯端末の連続使用時間を短くすることなくバッテリの性能低下を抑制し得る構成を提供することにある。
【課題を解決するための手段】
【０００６】
上記目的を達成するため、特許請求の範囲の請求項１に記載の発明は、
電力供給源となるバッテリ（３１）を有する携帯端末（１０）であって、
外部（１）からの電力供給に応じて前記バッテリのバッテリ電圧（Ｖｂ）が満充電電圧値（Ｖｍ）となるように当該バッテリを充電する充電回路（３２）と、
前記バッテリ電圧を検出するバッテリ電圧検出部（３３）と、
前記外部から電力供給が可能に当該外部に対して電気的に接続された電力供給可能状態と前記外部からの電力供給が停止された電力供給停止状態とを検知可能な電力供給状態検知部（３４）と、
前記電力供給状態検知部により前記電力供給可能状態から前記電力供給停止状態への変化が検知されてからの経過時間を非充電時間（Ｔ１）として計時する非充電時間計時部（２６）と、
前記満充電電圧値を、第１の電圧値（Ｖｍ１）と前記第１の電圧値よりも小さな第２の電圧値（Ｖｍ２）とのいずれかに設定可能な設定部（２１）と、
を備え、
前記設定部は、前記非充電時間計時部により前記非充電時間の計時が開始された後に前記電力供給状態検知部により前記電力供給可能状態が検知された場合、当該検知までに前記非充電時間計時部により計時された前記非充電時間が所定時間（Ｔ１ｔｈ）以上であると、前記満充電電圧値を前記第１の電圧値に設定し、当該検知までに前記非充電時間計時部により計時された前記非充電時間が前記所定時間未満であると、前記満充電電圧値を前記第２の電圧値に設定することを特徴とする。
【０００７】
請求項２に記載の発明は、
電力供給源となるバッテリ（３１）を有する携帯端末（１０）であって、
外部（１）からの電力供給に応じて前記バッテリのバッテリ電圧（Ｖｂ）が満充電電圧値（Ｖｍ）となるように当該バッテリを充電する充電回路（３２）と、
前記バッテリ電圧を検出するバッテリ電圧検出部（３３）と、
前記外部から電力供給が可能に当該外部に対して電気的に接続された電力供給可能状態と前記外部からの電力供給が停止された電力供給停止状態とを検知可能な電力供給状態検知部（３４）と、
前記満充電電圧値を、第１の電圧値（Ｖｍ１）と前記第１の電圧値よりも小さな第２の電圧値（Ｖｍ２）とのいずれかに設定可能な設定部（２１）と、
を備え、
前記設定部は、前記電力供給状態検知部により前記電力供給可能状態が検知された場合に、前記バッテリ電圧検出部により検出された前記バッテリ電圧が所定の電圧値（Ｖｏ）未満であると、前記満充電電圧値を前記第１の電圧値に設定し、前記バッテリ電圧検出部により検出された前記バッテリ電圧が前記所定の電圧値以上であると、前記満充電電圧値を前記第２の電圧値に設定することを特徴とする。
【０００８】
請求項３に記載の発明は、
電力供給源となるバッテリ（３１）を有する携帯端末（１０）であって、
外部（１）からの電力供給に応じて前記バッテリのバッテリ電圧（Ｖｂ）が満充電電圧値（Ｖｍ）となるように当該バッテリを充電する充電回路（３２）と、
前記バッテリ電圧を検出するバッテリ電圧検出部（３３）と、
前記外部から電力供給が可能に当該外部に対して電気的に接続された電力供給可能状態と前記外部からの電力供給が停止された電力供給停止状態とを検知可能な電力供給状態検知部（３４）と、
前記電力供給状態検知部により前記電力供給可能状態から前記電力供給停止状態への変化が検知されてからの経過時間を非充電時間（Ｔ１）として計時する非充電時間計時部（２６）と、
前記満充電電圧値を、第１の電圧値（Ｖｍ１）と前記第１の電圧値よりも小さな第２の電圧値（Ｖｍ２）とのいずれかに設定可能な設定部（２１）と、
を備え、
前記設定部は、前記非充電時間計時部により前記非充電時間の計時が開始された後に前記電力供給状態検知部により前記電力供給可能状態が検知された場合、当該検知までに前記非充電時間計時部により計時された前記非充電時間が所定時間（Ｔ１ｔｈ）以上または前記バッテリ電圧検出部により検出された前記バッテリ電圧が所定の電圧値（Ｖｏ）未満のいずれかであると、前記満充電電圧値を前記第１の電圧値に設定し、当該検知までに前記非充電時間計時部により計時された前記非充電時間が前記所定時間未満かつ前記バッテリ電圧検出部により検出された前記バッテリ電圧が前記所定の電圧値以上であると、前記満充電電圧値を前記第２の電圧値に設定することを特徴とする。
【０００９】
請求項６に記載の発明は、
電力供給源となるバッテリ（３１）を有する携帯端末（１０）であって、
所定の処理を行う処理部（２１）と、
外部（１）からの電力供給に応じて前記バッテリのバッテリ電圧（Ｖｂ）が満充電電圧値（Ｖｍ）となるように当該バッテリを充電する充電回路（３２）と、
前記バッテリ電圧を検出するバッテリ電圧検出部（３３）と、
前記外部から電力供給が可能に当該外部に対して電気的に接続された電力供給可能状態と前記外部からの電力供給が停止された電力供給停止状態とを検知可能な電力供給状態検知部（３４）と、
前記電力供給状態検知部により前記電力供給停止状態から前記電力供給可能状態への変化が検知されてからの経過時間を接続時間（Ｔ２）として計時する接続時間計時部（２６）と、
前記接続時間計時部により計時される前記接続時間が所定時間（Ｔ２ｔｈ）以上であるか否かについて判定する判定部（２１）と、
前記満充電電圧値を、第１の電圧値（Ｖｍ１）と前記第１の電圧値よりも小さな第２の電圧値（Ｖｍ２）とのいずれかに設定可能な設定部（２１）と、
を備え、
前記設定部は、前記判定部により前記接続時間が前記所定時間未満であると判定される状態では前記満充電電圧値を前記第１の電圧値に設定し、前記判定部により前記接続時間が前記所定時間以上であると判定される状態では前記満充電電圧値を前記第２の電圧値に設定し、
前記充電回路は、前記設定部により前記満充電電圧値が前記第２の電圧値に設定されると、前記バッテリ電圧検出部により検出される前記バッテリ電圧が前記第２の電圧値以上では前記バッテリへの充電を停止し、
前記処理部は、前記設定部により前記満充電電圧値が前記第１の電圧値に設定されるか前記バッテリ電圧検出部により検出される前記バッテリ電圧が前記第２の電圧値未満であると、前記外部から電力供給を受けて前記所定の処理を行い、前記設定部により前記満充電電圧値が前記第２の電圧値に設定され、かつ、前記バッテリ電圧検出部により検出される前記バッテリ電圧が前記第２の電圧値以上であると、前記バッテリから電力供給を受けて前記所定の処理を行うことを特徴とする。
なお、上記各括弧内の符号は、後述する実施形態に記載の具体的手段との対応関係を示すものである。
【発明の効果】
【００１０】
請求項１の発明では、非充電時間計時部により非充電時間の計時が開始された後に電力供給状態検知部により電力供給可能状態が検知された場合、当該検知までに非充電時間計時部により計時された非充電時間が所定時間以上であると、設定部により満充電電圧値が第１の電圧値に設定され、当該検知までに非充電時間計時部により計時された非充電時間が上記所定時間未満であると、設定部により満充電電圧値が第１の電圧値よりも小さな第２の電圧値に設定される。
【００１１】
これにより、非充電時間が比較的短い場合、例えば、充電台から外した携帯端末の確認操作等を短時間で終えて再び充電台に置き直すような場合には、非充電時間が比較的長い場合に対して、満充電電圧値が小さな電圧値（第２の電圧値）に設定される。このような場合には、非充電時の連続使用時間を増加するために満充電電圧値を高くする必要もないので、満充電電圧値を小さく設定することで、バッテリの性能低下を抑制することができる。
【００１２】
請求項２の発明では、電力供給状態検知部により電力供給可能状態が検知された場合に、バッテリ電圧検出部により検出されたバッテリ電圧が所定の電圧値未満であると、設定部により満充電電圧値が第１の電圧値に設定され、バッテリ電圧検出部により検出されたバッテリ電圧が上記所定の電圧値以上であると、設定部により満充電電圧値が第２の電圧値に設定される。
【００１３】
これにより、充電が再開されたときのバッテリ電圧が比較的高い場合、例えば、充電台から外した携帯端末の確認操作等を短時間で終えて再び充電台に置き直すような場合には、バッテリ電圧が比較的低い場合に対して、満充電電圧値が小さな電圧値（第２の電圧値）に設定される。このような場合には、非充電時の連続使用時間を増加するために満充電電圧値を高くする必要もないので、満充電電圧値を小さく設定することで、バッテリの性能低下を抑制することができる。
【００１４】
請求項３の発明では、非充電時間計時部により非充電時間の計時が開始された後に電力供給状態検知部により電力供給可能状態が検知された場合、当該検知までに非充電時間計時部により計時された非充電時間が所定時間以上またはバッテリ電圧検出部により検出されたバッテリ電圧が所定の電圧値未満のいずれかであると、設定部により満充電電圧値が第１の電圧値に設定され、当該検知までに非充電時間計時部により計時された非充電時間が上記所定時間未満かつバッテリ電圧検出部により検出されたバッテリ電圧が上記所定の電圧値以上であると、設定部により満充電電圧値が第２の電圧値に設定される。
【００１５】
これにより、非充電時間が比較的短い場合であって充電が再開されたときのバッテリ電圧が比較的高い場合、例えば、充電台から外した携帯端末の確認操作等を短時間で終えて再び充電台に置き直すような場合には、非充電時間が比較的長い場合やバッテリ電圧が比較的低い場合に対して、満充電電圧値が小さな電圧値（第２の電圧値）に設定される。このような場合には、非充電時の連続使用時間を増加するために満充電電圧値を高くする必要もないので、満充電電圧値を小さく設定することで、バッテリの性能低下を抑制することができる。特に、非充電時間とバッテリ電圧との双方を考慮するので、非充電時間が比較的短くてもバッテリ電圧が比較的低い場合やバッテリ電圧が比較的高くても非充電時間が比較的長い場合には、満充電電圧値が小さな電圧値（第２の電圧値）に設定されることもないので、より実情に適した満充電電圧値を設定することができる。
【００１６】
請求項４の発明では、非充電時間計時部により非充電時間の計時が開始された後に電力供給状態検知部により電力供給可能状態が検知された場合、当該検知までに非充電時間計時部により計時された非充電時間が上記所定時間以上またはバッテリ電圧検出部により検出されたバッテリ電圧が上記所定の電圧値未満のいずれかであっても、温度計測部により計測されるバッテリの温度が所定温度以上になると、設定部により満充電電圧値が第２の電圧値に設定される。
【００１７】
これにより、非充電時間が比較的長い場合であって充電が再開されたときのバッテリ電圧が比較的低い場合であってもバッテリの温度が所定温度以上となる場合、例えば、高温環境下で短時間にて高負荷の処理を行うような場合には、満充電電圧値が小さな電圧値（第２の電圧値）に設定される。このように、非充電時間及びバッテリ電圧に加えてバッテリの温度をも考慮した満充電電圧値の設定を行うので、より一層実情に適した満充電電圧値を設定することができる。
【００１８】
請求項５の発明では、判定部により接続時間が第２の所定時間未満であると判定される状態では、設定部により満充電電圧値が上記第１の電圧値に設定され、判定部により接続時間が第２の所定時間以上であると判定される状態では、設定部により満充電電圧値が上記第２の電圧値に設定される。また、設定部により満充電電圧値が第２の電圧値に設定されると、バッテリ電圧検出部により検出されるバッテリ電圧が上記第２の電圧値以上では充電回路によるバッテリへの充電が停止される。そして、処理部では、設定部により満充電電圧値が上記第１の電圧値に設定されるかバッテリ電圧検出部により検出されるバッテリ電圧が上記第２の電圧値未満であると、外部から電力供給を受けて所定の処理が行われ、設定部により満充電電圧値が上記第２の電圧値に設定され、かつ、バッテリ電圧検出部により検出されるバッテリ電圧が上記第２の電圧値以上であると、バッテリから電力供給を受けて所定の処理が行われる。
【００１９】
これにより、接続時間が上記第２の所定時間以上となる場合、例えば、携帯端末が充電可能に充電台に載置された状態が長時間継続する場合には、満充電電圧値が小さな電圧値（第２の電圧値）に設定される。その際、充電回路によるバッテリへの充電が停止されるだけでなく、バッテリ電圧が上記第２の電圧値未満となるまでバッテリから電力供給を受けて処理部による所定の処理が行われる。このため、迅速にバッテリ電圧が上記第２の電圧値まで下がることから、満充電電圧値が不要に高くなる時間を短縮でき、上述した充電再開時の効果と合わせて、バッテリの性能低下をより一層抑制することができる。
【００２０】
請求項６の発明では、判定部により接続時間が所定時間未満であると判定される状態では、設定部により満充電電圧値が上記第１の電圧値に設定され、判定部により接続時間が上記所定時間以上であると判定される状態では、設定部により満充電電圧値が上記第２の電圧値に設定される。また、設定部により満充電電圧値が第２の電圧値に設定されると、バッテリ電圧検出部により検出されるバッテリ電圧が上記第２の電圧値以上では充電回路によるバッテリへの充電が停止される。そして、処理部では、設定部により満充電電圧値が上記第１の電圧値に設定されるかバッテリ電圧検出部により検出されるバッテリ電圧が上記第２の電圧値未満であると、外部から電力供給を受けて所定の処理が行われ、設定部により満充電電圧値が上記第２の電圧値に設定され、かつ、バッテリ電圧検出部により検出されるバッテリ電圧が上記第２の電圧値以上であると、バッテリから電力供給を受けて所定の処理が行われる。
【００２１】
これにより、接続時間が上記所定時間以上となる場合、例えば、携帯端末が充電可能に充電台に載置された状態が長時間継続する場合には、満充電電圧値が小さな電圧値（第２の電圧値）に設定される。その際、充電回路によるバッテリへの充電が停止されるだけでなく、バッテリ電圧が上記第２の電圧値未満となるまでバッテリから電力供給を受けて処理部による所定の処理が行われる。このため、迅速にバッテリ電圧が上記第２の電圧値まで下がることから、満充電電圧値が不要に高くなる時間を短縮でき、バッテリの性能低下を抑制することができる。
【００２２】
請求項７の発明では、設定部により満充電電圧値が上記第２の電圧値に設定され、かつ、バッテリ電圧検出部により検出されるバッテリ電圧が上記第２の電圧値以上であると、放電回路によりバッテリが放電される。これにより、より迅速にバッテリ電圧が上記第２の電圧値まで下がることから、満充電電圧値が不要に高くなる時間をさらに短縮でき、バッテリの性能低下をより一層抑制することができる。
【図面の簡単な説明】
【００２３】
【図１】第１実施形態に係る携帯端末がクレードルに載置された状態を示す斜視図である。
【図２】図２（Ａ）は、図１の携帯端末の電気的構成を例示するブロック図であり、図２（Ｂ）は、図２（Ａ）の無線タグ処理部を概略的に例示するブロック図であり、図２（Ｃ）は、図２（Ａ）の情報コード読取部を概略的に例示するブロック図である。
【図３】第１実施形態において制御部にて行われる満充電電圧設定処理の流れを例示するフローチャートである。
【図４】第１実施形態の満充電電圧設定処理にて設定された満充電電圧値に応じて変化するバッテリ電圧の時間変化を説明する説明図である。
【図５】第１実施形態の第３変形例に係る携帯端末の電気的構成を例示するブロック図である。
【図６】第２実施形態に係る携帯端末の電気的構成を例示するブロック図である。
【図７】第２実施形態において制御部にて行われる充電処理の流れを例示するフローチャートである。
【図８】第２実施形態での充電処理においてバッテリ電圧の時間変化を説明する説明図である。
【発明を実施するための形態】
【００２４】
［第１実施形態］
以下、本発明の携帯端末を具現化した第１実施形態について、図面を参照して説明する。
本実施形態に係る携帯端末１０は、ユーザによって携帯されて様々な場所で用いられる携帯型の情報読取端末であって、外部からの電力供給装置として機能するクレードル（充電台）１に載置されることでバッテリ３１が充電されるように構成されている。この携帯端末１０は、バーコードや二次元コードなどの情報コードを光学的に読み取る情報コードリーダとしての機能に加えて、アンテナを介して送受信される電波を媒介としてＲＦＩＤタグなどの無線タグに記憶されている情報を読み書きする機能を兼ね備え、読み取りを二方式で行いうる構成となっている。
【００２５】
図１に示すように、携帯端末１０は、ＡＢＳ樹脂等の合成樹脂材料により形成される上側ケースおよび下側ケースが組み付けられて構成される長手状の筐体１１によって外郭が形成されている。また、上側ケースには、所定の情報を入力する際に操作されるファンクションキーおよびテンキー等のキー操作部２５や、所定の情報を表示するための表示部２４等が配置されている。また、下側ケースには、下方に向けて開口する読取口１２が形成されている。また、筐体１１の底面には、載置したクレードル１の充電端子に対して電気的に接続する受電端子が配置されている。
【００２６】
次に、携帯端末１０の電気的構成について説明する。
図２（Ａ）に示すように、携帯端末１０の筐体１１内には、携帯端末１０全体を制御する制御部２１が設けられている。この制御部２１は、マイコンを主体として構成されるものであり、ＣＰＵ、システムバス、入出力インタフェース等を有し、記憶部２２とともに情報処理装置を構成している。記憶部２２には、後述する満充電電圧設定処理を実行するための所定のプログラムや情報コード、無線タグを読み取る読取処理を実行するためのプログラム等が制御部２１により実行可能に予め格納されている。
【００２７】
また、制御部２１には、ＬＥＤ２３、表示部２４、キー操作部２５、タイマー２６、通信部２７などの各電子部品が接続されている。キー操作部２５は、制御部２１に対して操作信号を与える構成をなしており、制御部２１は、この操作信号を受けて操作信号の内容に応じた動作を行う。また、ＬＥＤ２３及び表示部２４は、制御部２１によって制御される構成をなしており、それぞれ、制御部２１からの指令を受けて動作する。タイマー２６は、公知の時計回路、タイマー回路などによって構成されており、後述する非充電時間や接続時間などの複数種類の経過時間を計時可能であって、その計時結果を制御部２１に出力するように構成されている。通信部２７は、サーバ等の外部機器との間で有線通信又は無線通信によりデータ通信を行うためのインタフェースとして構成されており、制御部２１と協働して通信処理を行う構成をなしている。
【００２８】
また、筐体１１内には、携帯端末１０の電力供給源となるバッテリ３１とこのバッテリ３１を充電するための充電回路３２が設けられている。バッテリ３１は、所定の直流電圧を発生可能な２次電池、例えば、リチウムイオンバッテリであって、筐体１１内のバッテリ収容部に着脱可能に収容されることで、制御部２１や各電子部品等に対して電力を供給するように機能する。
【００２９】
充電回路３２は、制御部２１により制御されて、受電端子を介したクレードル１からの電力供給に応じてバッテリ３１のバッテリ電圧Ｖｂが満充電電圧値Ｖｍとなるように当該バッテリ３１を充電するように機能する。この満充電電圧値Ｖｍを設定するために制御部２１にてなされる満充電電圧設定処理については、後述する。
【００３０】
このため、本実施形態では、バッテリ電圧Ｖｂを検出するためのバッテリ電圧検出部３３と、クレードル１を利用した電力供給状態を検知するための電力供給状態検知部３４とが設けられている。電力供給状態検知部３４は、受電端子の電圧等に応じて、クレードル１から電力供給が可能に当該クレードル１に対して電気的に接続された電力供給可能状態と、クレードル１からの電力供給が停止された電力供給停止状態とを検知可能であって、その検知結果を制御部２１に出力するように構成されている。
【００３１】
また、携帯端末１０は、制御部２１により制御されて外部の情報を読み取り可能な情報読取部として機能する無線タグ処理部４０及び情報コード読取部５０を備えている。
【００３２】
まず、無線タグ処理部４０について、図２（Ｂ）を用いて説明する。
無線タグ処理部４０は、アンテナ４４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部４０は、公知の電波方式で伝送を行う回路として構成されており、図２（Ｂ）にて概略的に示すように、送信回路４１、受信回路４２、整合回路４３などを有している。
【００３３】
送信回路４１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路４３を介してアンテナ４４に出力している。このようにしてアンテナ４４に送信信号が出力されると、その送信信号が送信電波として当該アンテナ４４より外部に放射される。
【００３４】
一方、アンテナ４４によって受信された応答信号は、整合回路４３を介して受信回路４２に入力される。この受信回路４２は、受信部フィルタ、増幅器、復調部、二値化処理部、複号化部などによって構成されており、アンテナ４４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００３５】
次に、情報コード読取部５０について、図２（Ｃ）を用いて説明する。
情報コード読取部５０は、情報コードＣを光学的に読み取るように機能するもので、図２（Ｃ）に示すように、ＣＣＤエリアセンサからなる受光センサ５３、結像レンズ５２、複数個のＬＥＤやレンズ等から構成される照明部５１などを備えた構成をなしており、制御部２１と協働して読取対象Ｒに付された情報コードＣ（バーコードや二次元コード）を読み取るように機能する。
【００３６】
この情報コード読取部５０によって読み取りを行う場合、まず、制御部２１によって指令を受けた照明部５１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ５２を通って受光センサ５３に受光される。読取口１２と受光センサ５３との間に配される結像レンズ５２は、情報コードＣの像を受光センサ５３上に結像させる構成をなしており、受光センサ５３はこの情報コードＣの像に応じた受光信号を出力する。受光センサ５３から出力された受光信号は、画像データとして記憶部２２に記憶され、情報コードＣに含まれる情報を取得するためのデコード処理に用いられるようになっている。なお、情報コード読取部５０には、受光センサ５３からの信号を増幅する増幅回路や、その増幅された信号をデジタル信号に変換するＡＤ変換回路等が設けられているがこれらの回路については図示を省略している。
【００３７】
次に、充電状況等に応じて満充電電圧値Ｖｍを設定するために制御部２１にてなされる満充電電圧設定処理について、説明する。
本実施形態では、満充電電圧値Ｖｍとして、通常の電圧値（以下、第１満充電電圧値Ｖｍ１ともいう）と、この第１満充電電圧値Ｖｍ１よりも小さいバッテリ保護用の電圧値（以下、第２満充電電圧値Ｖｍ２ともいう）とが用意されている。非充電時の携帯端末１０の連続使用時間を増加するためには、満充電電圧値Ｖｍを高く設定する必要があり、通常では、満充電電圧値Ｖｍは第１満充電電圧値Ｖｍ１（例えば、４．４Ｖ）に設定される。一方、充電時の状況等によっては、高い充電電圧値が不要となる場合や、通常の充電電圧値（第１満充電電圧値Ｖｍ１）であってもバッテリ３１の劣化がより促進してしまう場合がある。そこで、本実施形態では、このような場合には、バッテリ３１の劣化を抑制するため、満充電電圧値Ｖｍを第２満充電電圧値Ｖｍ２（例えば、３．８５Ｖ）に設定する。なお、第１満充電電圧値Ｖｍ１は、「第１の電圧値」の一例に相当し、第２満充電電圧値Ｖｍ２は、「第２の電圧値」の一例に相当し得る。
【００３８】
以下、充電時の状況等に応じて、満充電電圧値Ｖｍを第１満充電電圧値Ｖｍ１または第２満充電電圧値Ｖｍ２に設定する満充電電圧設定処理について、図３のフローチャート等を参照して具体的に詳述する。
本実施形態における満充電電圧設定処理は、電力供給状態検知部３４によって電力供給可能状態から電力供給停止状態への変化が検知されることで開始される。すなわち、クレードル１に載置されることで電力供給可能状態であった携帯端末１０がクレードル１から取り外されて電力供給停止状態となることで、制御部２１にて満充電電圧設定処理が開始される。
【００３９】
まず、図３のステップＳ１０１に示す非充電時間計時処理がなされる。この処理にて、タイマー２６により、電力供給状態検知部３４により電力供給可能状態から電力供給停止状態への変化が検知されてからの経過時間を、非充電時間Ｔ１として計時するための処理が開始される。すなわち、図４の時刻ｔａ１からわかるように、電力供給停止状態となりバッテリ電圧Ｖｂが下がり始めてからの経過時間が非充電時間Ｔ１として計時される。なお、タイマー２６は、「非充電時間計時部」の一例に相当し得る。
【００４０】
続いて、ステップＳ１０３の判定処理にて、電力供給状態検知部３４による検知結果に応じて、電力供給可能にクレードル１に接続される接続状態であるか否かについて判定される。ここで、受電端子に電圧が印加されないために電力供給状態検知部３４にて電力供給停止状態と検知される状態であると、接続状態でないとして、ステップＳ１０３にてＮｏと判定されて、上記ステップＳ１０１からの処理がなされる。
【００４１】
その後、携帯端末１０がクレードル１に載置されることで、受電端子に電圧が印加されて、電力供給状態検知部３４により電力供給可能状態が検知されると、接続状態であるとしてステップＳ１０３にてＹｅｓと判定される。この場合には、ステップＳ１０５の判定処理にて、バッテリ電圧検出部３３により検出されるバッテリ電圧Ｖｂが動作可能な最低電圧値である最低動作電圧値Ｖｏ以上であるか否かについて判定される。ここで、最低動作電圧値Ｖｏは、「所定の電圧値」の一例に相当し得るもので、例えば、３．６Ｖに設定されている。
【００４２】
ここで、非充電時に読取処理等を高頻度で行っていることから、図４の破線Ｖｂ１にて示すように、電力供給可能状態が検知された時刻ｔａ２において、バッテリ電圧Ｖｂが最低動作電圧値Ｖｏ未満となっている場合には、ステップＳ１０５にてＮｏと判定されて、満充電電圧値Ｖｍが第１満充電電圧値Ｖｍ１に設定される（Ｓ１０９）。
【００４３】
一方、バッテリ電圧Ｖｂが最低動作電圧値Ｖｏ以上である場合には（Ｓ１０５でＹｅｓ）、ステップＳ１０７の判定処理にて、計時された非充電時間Ｔ１が予め設定される所定時間Ｔ１ｔｈ以下であるか否かについて判定される。本実施形態では、所定時間Ｔ１ｔｈは、例えば、２４時間に設定されており、読取処理等を高頻度では行わないが、非充電状態が長時間継続していると、図４の二点鎖線Ｖｂ２にて示すように、電力供給可能状態が検知された時刻ｔａ４において、非充電時間Ｔ１が所定時間Ｔ１ｔｈ以上となり（Ｓ１０７でＹｅｓ）、満充電電圧値Ｖｍが第１満充電電圧値Ｖｍ１に設定される（Ｓ１０９）。
【００４４】
また、非充電時間Ｔ１が比較的短くなる場合、例えば、クレードル１から外した携帯端末１０の確認操作等を短時間で終えて再びクレードル１に置き直すような場合には、図４の太線Ｖｂ３にて示すように、電力供給可能状態が検知された時刻ｔａ３において、非充電時間Ｔ１が所定時間Ｔ１ｔｈ未満となり、ステップＳ１０７にてＮｏと判定される。このように、バッテリ電圧Ｖｂが最低動作電圧値Ｖｏ以上であって、非充電時間Ｔ１が比較的短くなる場合には、満充電電圧値Ｖｍが第２満充電電圧値Ｖｍ２に設定される（Ｓ１１１）。
【００４５】
上述のようにして満充電電圧値Ｖｍが第１満充電電圧値Ｖｍ１または第２満充電電圧値Ｖｍ２に設定されると、非充電時間Ｔ１の計時が終了し（Ｓ１１３）、本満充電電圧設定処理が終了する。なお、ステップＳ１０９，１１１の処理を行う制御部２１は、満充電電圧値Ｖｍを第１満充電電圧値Ｖｍ１と第２満充電電圧値Ｖｍ２とのいずれかに設定可能な「設定部」の一例に相当し得る。
【００４６】
そして、制御部２１により別途なされる充電処理により、バッテリ３１のバッテリ電圧Ｖｂが上述の様に設定された満充電電圧値Ｖｍとなるように、充電回路３２によりバッテリ３１が充電される。
【００４７】
以上説明したように、本実施形態に係る携帯端末１０では、非充電時間Ｔ１の計時が開始された後に電力供給状態検知部３４により電力供給可能状態が検知された場合、当該検知までに計時された非充電時間Ｔ１が所定時間Ｔ１ｔｈ以上（Ｓ１０７でＹｅｓ）またはバッテリ電圧検出部３３により検出されたバッテリ電圧Ｖｂが最低動作電圧値Ｖｏ未満（Ｓ１０５でＮｏ）のいずれかであると、満充電電圧値Ｖｍが第１満充電電圧値Ｖｍ１に設定され、当該検知までに計時された非充電時間Ｔ１が上記所定時間Ｔ１ｔｈ未満かつバッテリ電圧検出部３３により検出されたバッテリ電圧Ｖｂが上記最低動作電圧値Ｖｏ以上であると、満充電電圧値Ｖｍが第２満充電電圧値Ｖｍ２に設定される。
【００４８】
これにより、非充電時間Ｔ１が比較的短い場合であって充電が再開されたときのバッテリ電圧Ｖｂが比較的高い場合、例えば、クレードル１から外した携帯端末１０の確認操作等を短時間で終えて再びクレードル１に置き直すような場合には、非充電時間Ｔ１が比較的長い場合やバッテリ電圧Ｖｂが比較的低い場合に対して、満充電電圧値Ｖｍが第１満充電電圧値Ｖｍ１よりも小さな第２満充電電圧値Ｖｍ２に設定される。このような場合には、非充電時の連続使用時間を増加するために満充電電圧値Ｖｍを高くする必要もないので、満充電電圧値Ｖｍを小さく設定することで、バッテリ３１の性能低下を抑制することができる。特に、非充電時間Ｔ１とバッテリ電圧Ｖｂとの双方を考慮するので、非充電時間Ｔ１が比較的短くてもバッテリ電圧Ｖｂが比較的低い場合やバッテリ電圧Ｖｂが比較的高くても非充電時間Ｔ１が比較的長い場合には、満充電電圧値Ｖｍが第２満充電電圧値Ｖｍ２に設定されることもないので、より実情に適した満充電電圧値Ｖｍを設定することができる。
【００４９】
なお、本実施形態の第１変形例として、満充電電圧設定処理では、ステップＳ１０５の判定処理を廃止して、非充電時間Ｔ１に応じて満充電電圧値Ｖｍを設定するようにしてもよい。すなわち、非充電時間Ｔ１の計時が開始された後に電力供給状態検知部３４により電力供給可能状態が検知された場合、当該検知までに計時された非充電時間Ｔ１が所定時間Ｔ１ｔｈ以上であると、満充電電圧値Ｖｍが第１満充電電圧値Ｖｍ１に設定され、当該検知までに計時された非充電時間Ｔ１が上記所定時間Ｔ１ｔｈ未満であると、満充電電圧値Ｖｍが第２満充電電圧値Ｖｍ２に設定される。
【００５０】
このようにしても、上述したような非充電時間Ｔ１が比較的短い場合には、非充電時間Ｔ１が比較的長い場合に対して、満充電電圧値Ｖｍが小さな電圧値である第２満充電電圧値Ｖｍ２に設定されて、バッテリ３１の性能低下を抑制することができる。
【００５１】
また、本実施形態の第２変形例として、満充電電圧設定処理では、ステップＳ１０７の判定処理を廃止して、バッテリ電圧Ｖｂに応じて満充電電圧値Ｖｍを設定するようにしてもよい。すなわち、電力供給状態検知部３４により電力供給可能状態が検知された場合に、バッテリ電圧検出部３３により検出されたバッテリ電圧Ｖｂが最低動作電圧値Ｖｏ未満であると、満充電電圧値Ｖｍが第１満充電電圧値Ｖｍ１に設定され、バッテリ電圧検出部３３により検出されたバッテリ電圧Ｖｂが上記最低動作電圧値Ｖｏ以上であると、満充電電圧値Ｖｍが第２満充電電圧値Ｖｍ２に設定される。
【００５２】
このようにしても、上述したような充電が再開されたときのバッテリ電圧Ｖｂが比較的高い場合には、バッテリ電圧Ｖｂが比較的低い場合に対して、満充電電圧値Ｖｍが小さな電圧値である第２満充電電圧値Ｖｍ２に設定されて、バッテリ３１の性能低下を抑制することができる。
【００５３】
また、本実施形態の第３変形例として、図５に示すように、バッテリ３１の温度を計測する温度計測部３５を設け、満充電電圧設定処理では、さらに温度計測部３５の計測結果を考慮して、満充電電圧値Ｖｍを設定するようにしてもよい。すなわち、非充電時間Ｔ１の計時が開始された後に電力供給状態検知部３４により電力供給可能状態が検知された場合、当該検知までに計時された非充電時間Ｔ１が上記所定時間Ｔ１ｔｈ以上またはバッテリ電圧検出部３３により検出されたバッテリ電圧Ｖｂが上記最低動作電圧値Ｖｏ未満のいずれかであっても、温度計測部３５により計測されるバッテリ３１の温度が所定温度（例えば、０℃〜４０℃が補償温度であれば、４５℃程度）以上になると、満充電電圧値Ｖｍが第２満充電電圧値Ｖｍ２に設定される。
【００５４】
これにより、非充電時間Ｔ１が比較的長い場合であって充電が再開されたときのバッテリ電圧Ｖｂが比較的低い場合であってもバッテリ３１の温度が所定温度以上となる場合、例えば、高温環境下で短時間にて高負荷の処理を行うような場合には、満充電電圧値Ｖｍが第１満充電電圧値Ｖｍ１よりも小さな第２満充電電圧値Ｖｍ２に設定される。このように、非充電時間Ｔ１及びバッテリ電圧Ｖｂに加えてバッテリ３１の温度をも考慮した満充電電圧値Ｖｍの設定を行うので、より一層実情に適した満充電電圧値Ｖｍを設定することができる。
【００５５】
［第２実施形態］
次に、本発明の第２実施形態に係る携帯端末について、図面を参照して説明する。
本第２実施形態では、電力供給可能状態が継続していると、充電処理中に満充電電圧値Ｖｍを第１満充電電圧値Ｖｍ１から第２満充電電圧値Ｖｍ２に切り替える点が主に上記第１実施形態と異なる。このため、第１実施形態と実質的に同様の構成部分には同一符号を付して説明を省略する。
【００５６】
バッテリ電圧Ｖｂが満充電電圧値Ｖｍとして設定された第１満充電電圧値Ｖｍ１に長時間維持された状態で、電力供給可能状態が所定時間継続していると、バッテリ３１の性能が低下する可能性がある。
【００５７】
そこで、本実施形態では、バッテリ３１を充電するために制御部２１にてなされる充電処理において、電力供給可能状態が所定時間継続されていると、バッテリ３１の性能低下を抑制するため、満充電電圧値Ｖｍを第１満充電電圧値Ｖｍ１よりも小さな第２満充電電圧値Ｖｍ２に設定する。
【００５８】
特に、本実施形態では、バッテリ電圧Ｖｂをより迅速に第２満充電電圧値Ｖｍ２まで下げるため、図６に示すように、バッテリ３１を放電可能な放電回路３６が新たに設けられている。この放電回路３６を利用することで、満充電電圧値Ｖｍが第２満充電電圧値Ｖｍ２に設定された後、バッテリ電圧Ｖｂが第２満充電電圧値Ｖｍ２に達するまで、バッテリ３１の放電が実施される。
【００５９】
さらに、満充電電圧値Ｖｍが第２満充電電圧値Ｖｍ２に設定された後、バッテリ電圧Ｖｂが第２満充電電圧値Ｖｍ２に達するまで、制御部２１等にてなされる所定の処理に必要な電力がクレードル１からの供給ではなくバッテリ３１からの供給に切り替えられるバッテリ駆動状態となる。通常、クレードル１に載置したまま搬送物に付された情報コードＣや無線タグＴを順次読み取る読取処理等の所定の処理を行う際、その動作に必要な電力がバッテリ３１からでなくクレードル１から供給される外部電力駆動状態となる。本実施形態では、第１満充電電圧値Ｖｍ１だったバッテリ電圧Ｖｂをより迅速に第２満充電電圧値Ｖｍ２に下げるため、制御部２１等にてなされる所定の処理に必要な電力を、クレードル１からの供給（外部電力駆動状態）ではなくバッテリ３１からの供給（バッテリ駆動状態）に切り替える。なお、電力を必要とする上記所定の処理は、例えば、受光センサ５３を利用した搬送物等の撮像処理等であってもよく、このような所定の処理を行う制御部２１等は、「処理部」の一例に相当し得る。
【００６０】
以下、本実施形態において制御部２１にてなされる充電処理について、図７のフローチャート等を参照して具体的に詳述する。
本実施形態における充電処理は、電力供給状態検知部３４によって電力供給停止状態から電力供給可能状態への変化が検知されることで開始される。すなわち、クレードル１から取り外されることで電力供給停止状態となっていた携帯端末１０がクレードル１に載置されて電力供給可能状態となることで、制御部２１にて充電処理が開始される。
【００６１】
まず、満充電電圧値Ｖｍが第１満充電電圧値Ｖｍ１に設定されると（図７のＳ２０１）、バッテリ３１のバッテリ電圧Ｖｂが上述の様に設定された満充電電圧値Ｖｍ（第１満充電電圧値Ｖｍ１）となるように、充電回路３２によるバッテリ３１の充電が開始される（Ｓ２０３）。
【００６２】
続いて、ステップＳ２０５に示す接続時間計時処理がなされる。この処理にて、タイマー２６により、電力供給状態検知部３４により電力供給停止状態から電力供給可能状態への変化が検知されてからの経過時間を、接続時間Ｔ２として計時するための処理が開始される。すなわち、図８の時刻ｔｂ１からわかるように、電力供給可能状態となりバッテリ電圧Ｖｂが上がり始めてからの経過時間が接続時間Ｔ２として計時される。なお、タイマー２６は、「接続時間計時部」の一例に相当し得る。
【００６３】
続いて、ステップＳ２０７の判定処理にて、接続時間Ｔ２が予め設定される所定時間Ｔ２ｔｈ以上であるか否かについて判定される。本実施形態では、所定時間Ｔ２ｔｈは、バッテリ電圧Ｖｂを第１満充電電圧値Ｖｍ１まで充電するために必要な時間（図８の時刻ｔｂ２参照）よりも十分に長い時間、例えば、２４時間に設定されており、充電開始直後等であるために接続時間Ｔ２が所定時間Ｔ２ｔｈ未満となる場合には、ステップＳ２０７にてＮｏと判定されて、上記ステップＳ２０１からの処理が繰り返される。なお、この繰り返し処理中では、携帯端末１０の動作に必要な電力は、バッテリ３１からではなくクレードル１から供給される外部電力駆動状態となっている。また、所定時間Ｔ２ｔｈは、「所定時間」または「第２の所定時間」の一例に相当し、上記ステップＳ２０７の判定処理を行う制御部２１は、「判定部」の一例に相当し得る。
【００６４】
そして、バッテリ電圧Ｖｂが第１満充電電圧値Ｖｍ１に達するまで充電された状態が維持されていることから、接続時間Ｔ２が所定時間Ｔ２ｔｈ以上になると（図８の時刻ｔｂ３参照）、ステップＳ２０７にてＹｅｓと判定されて、満充電電圧値Ｖｍが第２満充電電圧値Ｖｍ２に設定されて（Ｓ２０９）、接続時間Ｔ２の計時が終了する（Ｓ２１１）。
【００６５】
このように満充電電圧値Ｖｍが第２満充電電圧値Ｖｍ２に設定されると、第１満充電電圧値Ｖｍ１だったバッテリ電圧Ｖｂをより迅速に第２満充電電圧値Ｖｍ２に下げるため、バッテリ駆動状態に切り替えられる（Ｓ２１３）。さらに、充電回路３２によるバッテリ３１への充電が停止されるとともに（Ｓ２１５）、放電回路３６によるバッテリ３１の放電が開始される（Ｓ２１７）。
【００６６】
続いて、ステップＳ２１９の判定処理にて、バッテリ電圧Ｖｂが第２満充電電圧値Ｖｍ２以上であるか否かについて判定される。ここで、バッテリ電圧Ｖｂが第２満充電電圧値Ｖｍ２まで下がっていない場合には、ステップＳ２１９にてＹｅｓと判定されて、上記ステップＳ２１３からの処理がなされる。すなわち、バッテリ電圧Ｖｂが第２満充電電圧値Ｖｍ２に下がるまで、バッテリ駆動状態と放電回路３６によるバッテリ３１の放電状態とが維持される。
【００６７】
その後、バッテリ駆動状態と放電回路３６によるバッテリ３１の放電状態とにより下がったバッテリ電圧Ｖｂが第２満充電電圧値Ｖｍ２未満となると（図８の時刻ｔｂ４参照）、ステップＳ２１９にてＮｏと判定される。この場合には、外部電力駆動状態に切り替えられるとともに（Ｓ２２１）、放電回路３６によるバッテリ３１の放電が停止されて（Ｓ２２３）、バッテリ電圧Ｖｂを第２満充電電圧値Ｖｍ２に維持するための処理がなされる。
【００６８】
以上説明したように、本実施形態に係る携帯端末１０では、制御部２１にてなされる充電処理において、接続時間Ｔ２が所定時間Ｔ２ｔｈ未満であると判定される状態では、満充電電圧値Ｖｍが第１満充電電圧値Ｖｍ１に設定され、接続時間Ｔ２が所定時間Ｔ２ｔｈ以上であると判定される状態では、満充電電圧値Ｖｍが第２満充電電圧値Ｖｍ２に設定される。また、満充電電圧値Ｖｍが第２満充電電圧値Ｖｍ２に設定されると、バッテリ電圧検出部３３により検出されるバッテリ電圧Ｖｂが第２満充電電圧値Ｖｍ２以上では充電回路３２によるバッテリ３１への充電が停止される。そして、制御部２１等では、満充電電圧値Ｖｍが第１満充電電圧値Ｖｍ１に設定されるかバッテリ電圧検出部３３により検出されるバッテリ電圧Ｖｂが第２満充電電圧値Ｖｍ２未満であると、クレードル１から電力供給を受けて上記所定の処理が行われ、満充電電圧値Ｖｍが第２満充電電圧値Ｖｍ２に設定され、かつ、バッテリ電圧検出部３３により検出されるバッテリ電圧Ｖｂが第２満充電電圧値Ｖｍ２以上であると、バッテリ３１から電力供給を受けて上記所定の処理が行われる。
【００６９】
これにより、接続時間Ｔ２が所定時間Ｔ２ｔｈ以上となる場合、例えば、携帯端末１０が充電可能にクレードル１に載置された状態が長時間継続する場合には、満充電電圧値Ｖｍが小さな電圧値である第２満充電電圧値Ｖｍ２に設定される。その際、充電回路３２によるバッテリ３１への充電が停止されるだけでなく、バッテリ電圧Ｖｂが第２満充電電圧値Ｖｍ２未満となるまでバッテリ３１から電力供給を受けて制御部２１等による上記所定の処理が行われる。このため、迅速にバッテリ電圧Ｖｂが第２満充電電圧値Ｖｍ２まで下がることから、満充電電圧値Ｖｍが不要に高くなる時間を短縮でき、バッテリ３１の性能低下を抑制することができる。
【００７０】
特に、満充電電圧値Ｖｍが第２満充電電圧値Ｖｍ２に設定され、かつ、バッテリ電圧検出部３３により検出されるバッテリ電圧Ｖｂが第２満充電電圧値Ｖｍ２以上であると、放電回路３６によりバッテリ３１が放電される。これにより、より迅速にバッテリ電圧Ｖｂが第２満充電電圧値Ｖｍ２まで下がることから、満充電電圧値Ｖｍが不要に高くなる時間をさらに短縮でき、バッテリ３１の性能低下をより一層抑制することができる。なお、高負荷処理であることからバッテリ駆動状態で迅速にバッテリ電圧Ｖｂを下げることができるような場合等には、放電回路３６を利用せず、上記ステップＳ２１７，Ｓ２２３等を行わなくてもよい。
【００７１】
なお、本発明は上記各実施形態等に限定されるものではなく、例えば、以下のように具体化してもよい。
（１）上記第２実施形態にて述べた充電処理を行った後に、電力供給状態検知部３４により電力供給停止状態が検知されると、上記第１実施形態にて述べた満充電電圧設定処理を行ってもよい。また、上記第１実施形態にて述べた満充電電圧設定処理にて満充電電圧値Ｖｍが第１満充電電圧値Ｖｍ１に設定されてから充電が開始されることで、上記第２実施形態にて述べた充電処理を行ってもよい。
【００７２】
（２）携帯端末１０に対する外部からの電力供給は、載置されたクレードル１などの充電台を介して行われることに限らず、例えば、電気的に接続されたＡＣアダプタを介して行われてもよい。このように外部から電力が供給される構成であっても、上述のような満充電電圧値Ｖｍの設定に応じて、バッテリ３１の性能低下を抑制することができる。
【００７３】
（３）本発明は、情報コードを光学的に読み取る機能と無線タグに記憶されている情報を読み書きする機能とを兼備する携帯端末に適用されることに限らず、例えば、情報コード専用の携帯端末や無線タグ専用の携帯端末に適用されてもよいし、さらに他の機能を有する携帯端末に適用されてもよい。また、本発明は、タッチパネルを有するスマートフォンやタブレット端末等に適用されてもよい。
【符号の説明】
【００７４】
１…クレードル
１０…携帯端末
２１…制御部（設定部，判定部，処理部）
２６…タイマー（非充電時間計時部，接続時間計時部）
３１…バッテリ
３２…充電回路
３３…バッテリ電圧検出部
３４…電力供給状態検知部
３５…温度計測部
３６…放電回路
Ｔ１…非充電時間
Ｔ２…接続時間
Ｖｂ…バッテリ電圧
Ｖｍ…満充電電圧値
Ｖｏ…最低動作電圧値（所定の電圧値）
Ｖｍ１…第１満充電電圧値（第１の電圧値）
Ｖｍ２…第２満充電電圧値（第２の電圧値）
【図１】
2020068607.tif 000003
【図２】
2020068607.tif 000004
【図３】
2020068607.tif 000005
【図４】
2020068607.tif 000006
【図５】
2020068607.tif 000007
【図６】
2020068607.tif 000008
【図７】
2020068607.tif 000009
【図８】
2020068607.tif 000010